【事件の表示】
　特許第２８０４８５８号「巻き取り方法および巻取機」の特許に対する特許異議の申立てについて、次のとおり決定する。
【結　論】
　訂正を認める。
　特許第２８０４８５８号の請求項１ないし４に係る特許を維持する。
【理　由】
［１］．手続の経緯
　特許第２８０４８５８号の請求項１〜１２に係る発明は、平成３年１０月２８日（パリ条約による優先権主張、１９９０年１０月２６日、フィンランド）に特許出願され、平成１０年７月１７日にその特許の設定登録がなされ、その後、ドイツ国、フォイト・ズルツァー・パピエマシーネン・ゲーエムベーハーより特許異議の申立てがなされ、取消理由通知が二度なされ、二度目の取消理由通知の指定期間内である平成１２年５月１８日に訂正請求がなされ、該訂正請求で特許請求の範囲の請求項１〜８を削除し、同請求項９〜１２の記載を訂正後の特許請求の範囲の請求項１〜４にしたものである。
　
［２］．訂正の要旨
　平成１２年５月１８日付けの訂正請求における訂正の要旨は次のとおりである。
　特許請求の範囲の減縮を目的として、特許請求の範囲の請求項１〜８を削除し、特許請求の範囲の請求項９〜１２の記載
　「【請求項９】　巻き取りシリンダと、センタドライブによって駆動されるとともにレール上に配置される巻き取りドラムとを有する巻取機であって、該巻取機においては、ウェブは、前記巻き取りシリンダによって形成されるニップを通って、前記巻き取りドラムに巻き取られて、その結果ロールが形成される巻取機において、該巻取機は、第１センタドライブと、第２センタドライブと、第１支持搬送装置と、第２支持搬送装置とを有し、
　前記第１、第２センタドライブのうちの一方によって駆動される新しい巻き取りドラムに前記第１、第２支持搬送装置が交互に連結され、巻き取り中は、該連結された支持搬送装置が前記巻き取りドラムを支持し、前記ロールが巻き上がった時は、前記連結された支持搬送装置が該ロールを交換位置に搬送し、該交換位置において、前記第１、第２センタドライブのうちの他方によって駆動される他の新しい巻き取りドラムに前記ウェブが移されることを特徴とする巻取機。
【請求項１０】　請求項９に記載される巻取機において、該巻取機は、巻取機の各側に１個づつ、２個のセンタドライブを有することを特徴とする巻取機。
【請求項１１】　ウェブを、巻き取りドラム上に巻き上げてロールを形成し、前記ウェブを、前記ロールと巻き取りシリンダとの間に形成されるニップを通して、巻き取りドラムに送り、該巻き取りドラムをセンタドライブにより駆動するとともにレール上に配置し、該ロールが巻き上がった時に、新しい巻き取りドラムを搬送部材によって待機位置に搬入し、該待機位置において前記新しい巻き取りドラムをウェブのスピードに加速する巻き取り方法において、該方法は、
　前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐことを特徴とする巻き取り方法。
【請求項１２】　巻き取りシリンダと巻き取りドラムとを有する巻取機であって、該巻取機においては、ウェブは、前記巻き取りシリンダによって形成されるニップを通って、前記巻き取りドラムに巻き取られて、その結果ロールが形成される巻取機において、該巻取機は、
　前記ロールが巻き上がった時に、該巻き上がったロールが前記巻き取りシリンダから離れる前に、前記巻き上がったロールに接触するプレスロールを有し、
　前記巻き上がったロールと前記巻き取りシリンダとのニップ接触が終了した後において、前記巻き上がったロールに空気が入ることを該プレスロールは防ぐことを特徴とする巻取機。」を
　「【請求項１】　巻き取りシリンダと、センタドライブによって駆動されるとともにレール上に配置される巻き取りドラムとを有するポープ式巻取機であって、該巻取機においては、ウェブは、前記巻き取りシリンダによって形成されるニップを通って、前記巻き取りドラムに巻き取られて、その結果ロールが形成される巻取機において、該巻取機は、第１センタドライブと、第２センタドライブと、第１支持搬送装置と、第２支持搬送装置とを有し、
　前記第１、第２センタドライブのうちの一方によって駆動される新しい巻き取りドラムに前記第１、第２支持搬送装置が交互に連結され、巻き取り中は、該連結された支持搬送装置が前記巻き取りドラムを支持し、前記ロールが巻き上がった時は、前記連結された支持搬送装置が該ロールを交換位置に搬送し、該交換位置において、前記第１、第２センタドライブのうちの他方によって駆動される他の新しい巻き取りドラムに前記ウェブが移されることを特徴とするポープ式巻取機。
【請求項２】　請求項１に記載されるポープ式巻取機において、該巻取機は、巻取機の各側に１個づつ、２個のセンタドライブを有することを特徴とするポープ式巻取機。
【請求項３】　ウェブを、巻き取りドラム上に巻き上げてロールを形成し、前記ウェブを、前記ロールと巻き取りシリンダとの間に形成されるニップを通して、巻き取りドラムに送り、該巻き取りドラムをセンタドライブにより駆動するとともにレール上に配置し、該ロールが巻き上がった時に、新しい巻き取りドラムを搬送部材によって待機位置に搬入し、該待機位置において前記新しい巻き取りドラムをウェブのスピードに加速するポープ式巻取機における巻き取り方法において、該方法は、
　前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐことを特徴とする巻き取り方法。
【請求項４】　巻き取りシリンダと巻き取りドラムとを有する巻取機であって、該巻取機においては、ウェブは、前記巻き取りシリンダによって形成されるニップを通って、前記巻き取りドラムに巻き取られて、その結果ロールが形成されるポープ式巻取機において、該巻取機は、
　前記ロールが巻き上がった時に、該巻き上がったロールが前記巻き取りシリンダから離れる前に、前記巻き上がったロールに接触するプレスロールを有し、
　前記巻き上がったロールと前記巻き取りシリンダとのニップ接触が終了した後において、前記巻き上がったロールに空気が入ることを該プレスロールは防ぐことを特徴とするポープ式巻取機。」に訂正する。
　　
［３］．　訂正の適否についての判断
３−１．訂正の目的、新規事項及び拡張・変更の存否
（ｉ） 請求項１〜８の削除について
　請求項の削除は請求項の減縮に該当するため、この訂正は、特許請求の範囲の減縮に相当する。
　請求項の削除は、また、願書に最初に添付した明細書または図面に記載した事項の範囲内の訂正であり、実質上、特許請求の範囲を拡張または変更するものではない。
 （ｉｉ） 請求項９〜１２（訂正後の請求項１〜４に相当）の訂正について
　請求項９の訂正は、
　「巻き取りシリンダと、センタドライブによって駆動されるとともにレール上に配置される巻き取りドラムとを有する巻取機であって、」を、より下位概念である「巻き取りシリンダと、センタドライブによって駆動されるとともにレール上に配置される巻き取りドラムとを有するポープ式巻取機であって、」に限定し、「ことを特徴とする巻取機。」を、より下位概念である「ことを特徴とするポープ式巻取機。」に限定し、
　請求項１０の訂正は、
　「請求項９に記載される巻取機において、該巻取機は、巻取機の各側に１個づつ、２個のセンタドライブを有することを特徴とする巻取機。」を、より下位概念である「請求項１に記載されるポープ式巻取機において、該巻取機は、巻取機の各側に１個づつ、２個のセンタドライブを有することを特徴とするポープ式巻取機。」に限定し、
　請求項１１の訂正は、
　「該待機位置において前記新しい巻き取りドラムをウェブのスピードに加速する巻き取り方法において、」を、より下位概念である「該待機位置において前記新しい巻き取りドラムをウェブのスピードに加速するポープ式巻取機における巻き取り方法において、」に限定し、
　請求項１２の訂正は、
　「その結果ロールが形成される巻取機において、該巻取機は、前記ロールが巻き上がった時に、該巻き上がったロールが前記巻き取りシリンダから離れる前に、前記巻き上がったロールに接触するプレスロールを有し、前記巻き上がったロールと前記巻き取りシリンダとのニップ接触が終了した後において、前記巻き上がったロールに空気が入ることを該プレスロールは防ぐことを特徴とする巻取機。」をより下位概念である「その結果ロールが形成されるポープ式巻取機において、該巻取機は、前記ロールが巻き上がった時に、該巻き上がったロールが前記巻き取りシリンダから離れる前に、前記巻き上がったロールに接触するプレスロールを有し、前記巻き上がったロールと前記巻き取りシリンダとのニップ接触が終了した後において、前記巻き上がったロールに空気が入ることを該プレスロールは防ぐことを特徴とするポープ式巻取機。」に限定しようとするものである。
　「ポープ式」巻取機の記載について考察すると、「ポープ式」巻取機は、特許公報第３頁、段落[0003]、第１行に記載されているから、これらの訂正は特許請求の範囲の減縮に相当するものと認められる。
　以上、請求項９〜１２（訂正後の請求項１〜４に相当）に係る訂正事項は、願書に添付した明細書に記載した事項の範囲内のものであり、かつ実質上特許請求の範囲を拡張又は変更するものではない。
３−２．本件特許発明
　上記３−１．で述べたように、上記訂正請求は認められるので、本件特許の請求項９〜１２に係る発明は、訂正後の特許明細書及び図面の記載よりみて、訂正後の請求項１〜４に記載されたとおりのものである（以下、訂正後の請求項１〜４に係る発明を順に「訂正後の特許発明１」、「訂正後の特許発明２」、「訂正後の特許発明３」及び「訂正後の特許発明４」という。）。
３−３．独立特許要件の判断
　当審において平成１１年９月１０日付けで通知した第１回目の取消理由で引用した刊行物は下記のとおりである。
　　　　記
刊行物１（甲第１号証）；米国特許第４７２１２６６号公報
刊行物２（甲第２号証）；米国特許第３８５７５２４号公報
刊行物３（甲第３号証）；特開平４−１５３１５３号公報（特願平２−２７５３８４号）
　　各刊行物の記載事項；　
　刊行物１には、「第１図に基づく巻き取り装置は、以下のように動作する。巻き取りドラム2及び3が、ロールスタンド10によって支持され、第1のドライブによって駆動され、交換される直前の巻上がりの直径に達しようとしているとき、移送キャリッジ12に取り付けられた移動可能な第2のドライブ15が、巻き取りドラム2に接続される。基部の回動軸7を軸として回動する圧力ローラアセンブリ4は、解除されて、流体圧シリンダ17によって駆動され、加圧バー8及び9が回動して、ウエブ1を下向きに付勢する。移送装置11-14は、第2のドライブ15によって駆動されている巻上がりドラム2を、ロールスタンド10から出口位置16へ向けて移送する。次に、リフトが、新たな空の巻き取りロール3をロールスタンド10に運ぶ。
　巻き取り装置の第1のドライブは、新たな巻き取りドラム3の回転速度をウエブの速度に同期させる。この様子が、第１図に例示されている。圧力バー8が直立して、圧力ローラアセンブリ4がロールスタンド10に向けて回動する。圧力ローラアセンブリ4の前に配置された(図示されていない)ナイフバーが、ウエブ1の端から約150mmの位置で長手方向の切断を行う。ロールスタンド10内の加圧空気ジェットが新たな巻き取りドラム3に向けてウエブ移動させる。
　次に、ナイフバーがウエブ1の全幅に亘って幅方向に移動し、ウエブ1を新たな巻き取りドラム3にすっかり係合させる。巻き取りドラム2の巻き上げられたロールは停止されて、搬出されるのを待っている。加圧ローラアセンブリ4の構造は、標準的な従来のタイプであるが、(図示されていない)流体圧シリンダによって駆動されて回動する圧力バー8及び9を有する点が異なる。上側位置に持ち上げられたとき、圧力バーのシャフト部分9は、圧力ローラ6と巻き取りロール3との間の二ップの前にあご(ジョー)安全装置を形成し、別個のあご安全装置を必要としない。ロールスタンド10は、標準的な従来の構造であり、供給側に回動する長寸の移送設備を組み込んである。
　巻き取りドラム2及び3の移送装置は、転がりレール11と、移送キャリッジ12と、第2のドライブ15とを有する。巻き取りドラム2は、移送キャリッジにガイドされながら、緩やかな傾きの軌道を下に向けて転がる。移送キャリッジ12は、ボールブッシングガイド14によって、転がりレール11のフレーム13に取り付けられている。移送キャリッジ12は、両方の転がりレール11に取り付けられたボールナット親ネジにより移動される。この2つのボールナット親ネジの運動は、接続シャフトによって機械的に同期されていて、2つのボールナット親ネジ共通の1つの駆動モー夕によって回転させられている。第2のドライブは、流体圧モー夕15であり、この流体圧モー夕15は、供給側の移送キャリッジ12に取り付けられている。
　第2図に基づけば、流体圧モー夕15のシャフトには、巻き取りドラムのシャフト19の歯の形成された結合部の内側リング20を直接駆動する小さい歯車21がとりつけられていて、内側リングとの間に内側駆動ギアを形成する。この構成が減速ギアを形成し、流体圧モー夕15用の別個の減速ギアを必要としなくする。」（第１欄末２行〜第２欄５８行、異議申立人翻訳参照）が記載されている。
　
　刊行物２には、「　第1図から第5図に例示されてるように、本発明に基づいて構成された表面巻き取り装置は、エンドベアリングブロック11によって支持されて回転する駆動され巻き取りドラム10を含み、これらエンドベアリングブロック11は、各々、フレーム12によって支持されている。巻き取りドラム10を駆動する装置は、モー夕(図示されていない)とギアや、当業者に良く知られた形式のものであってよく、本発明を構成する部分ではないので、図示及び説明されない。
　適切な供給源から移動し巻き取りドラム10の周縁部を通過するウエブWは、張力を加えられながら表面巻き取りによって、スプール16として巻取られる(第1図に2点破線として描かれている)。
　はじめに、ウエブは、エンドジャーナル(図示されていない)を備えたコア17に巻き付けられ、これらのエンドジャーナルは、各々、ベアリングハウジング18に支持されている。表面巻き取り動作の間、ベアリングハウジング18は、一対の間隔をおいて配置されたレール14上に支持されている。レール14は、間隔をおいて配置されたフレーム12及び13の上に水平に配置されている(第1図から第4図では、図を見やすくするために一部破断されて描かれている)。
  第2のアーム21は、1971年10月19日発行の米国特許第3614011号明細書に開示されたものと同様のものであって良く、その概要は、スプール16用のクレードル20を構成し、ローラ19を取り付けられた右上アームを備え、及び、スプール16及びスプール16として巻取られたウエブが巻き取りドラム10の表面に当接するようにスプール16を押圧する、二股の上端部分を含む。
　第2の移送アーム21は、コア17及びコア17に巻取られたウエブを巻き取りドラム10の表面に当接するように保ち、スプールが所定の寸法に巻き上げられるまで、コアにウエブが巻取られるのに従ってコア17が巻き取りドラムから遠ざかる動きに合わせる。第2のアーム21は、装置の基部のベアリング支持部23に枢支され、装置の基部の枢支ピン22から上向きに延在している。流体圧シリンダ24(第2図では図示されていない)が、アーム21のヘッドエンドからフレーム12の枢支ピン25へ向けて延在して枢支されている。流体圧シリンダのピストン(図示されていない)は、流体圧シリンダから伸張するピストンロッド26を有する。これらピストンロッド26の各々は、枢支ピン27として、第2のアーム21に接続されている。シリンダ24及びピストンロッド26は、第2のアーム21を、巻き取りドラム10に向けて及び巻き取りドラム10から離れるように、移動させ、巻き取り途中のスプールを巻き取りドラム10と当接させて、所定の寸法にスプールを巻き上げるための巻き取り力を提供する。
　巻き取り動作が終了すると、第2のアーム21は、巻き上げられたスプールを、レール14の端部から上に延在するコアストップ15に向けて、レール14に沿って移動させる。巻き上げられたスプールがコアストップ15に隣接した位置に達すると、クレーン装置又はその他のリフト機構が用いられて、スプールが巻き取り装置から取り除かれる。
　第1のアーム28は、1971年10月19日発行の米国特許第3614011号明細書に開示されたものと同様のものであって良く、巻き取りドラム10の各端部に枢支されていて、巻き取りドラムの中心軸を中心として回動する。第1の移送アーム28の各々は、アームに沿って延在して保持あご(ジョー)29のためのガイドを構成する内向きに開いたガイド(図示されていない)を有する。保持あご29は、巻き取りドラム10に向かって開いた凹部部分を有し、この凹部部分は、コア17用のベアリングハウジング18と係合して、第1図に例示されているように、コア17を、ドラム10の軸を中心としてコア17のロード位置Aから力ム面30に沿って移動させ、次に巻き取りドラムと当接しながらウエブ移送位置Bへ移動させる。保持あご29は、シリンダ(図示されていない)内のピストン(図示されていない)から延在するピストンロッド(図示されていない)の動作によって、ガイドに沿って、コア17のベアリングハウジング18と係合するように移動して、第1の移送アームへのコアのロード、及び、所望される場合のコア17の水平なレ一ル14上への解除に合わせる。コア17のためのベアリングハウジング18は、ベアリングハウジング内に収容された適切なべアリングのコア用の適切な支持部を形成し、上述された米国特許第3614011号明細書に開示されたものと同様の力ム面に当接する。
　第1のアーム28は、1971年10月19日発行の米国特許第3614011号明細書に開示されたものと同様に巻き取りドラム10の軸を中心に回転するように取り付けられていて、ギア37によって駆動されている。ギア37は適切なモータ及び減速ギア駆動機構によって駆動されていても良い。その駆動機構は、第1のアームをコアがロードされる位置Aから、ウエブ転送位置B即ち巻き取り動作の制御が第2の移送アーム21によって行われるレール14へ移動させる。
　第1図に例示されているように、巻き取りドラム10と平行に隔てられて、工ンベローパロール31が、その両方の端部で端部ベアリング(図示されていない)によって支持されていて、これら端部ベアリングは、各々、間隔をおいて配置された支持アーム32によって支持されている。支持アーム32は、巻き取りドラム10の回転軸と同軸の軸を中心に回動するように取り付けられていて、両側において、巻き取りドラム10の端部と第1の支持アーム28との間に配置され、レール11の間の内側に配置されている。エンベローパ支持アーム32は、ラックとピニオンギアとによって、巻き取りドラム10の軸を中心に回動するように駆動される。各支持アーム32からは、ほぼ扇形の部分が延出し、この部分には、ピニオン35とかみ合う下向きの弓形のラック33がその円弧に沿って形成されている。ピニオン35は、その両端に軸受けが取り付けられた横方向のシャフト34に楔によって固定若しくはその他の方法で固定されていて、軸受けは、フレーム12に適切に取り付けられている。
　シャフト34と、シャフトの各端部のピニオン35は、モータ(図示されていない)と減速ギア(図示されていない)とによって、装置の反対側から、一定の速度で駆動され、支持アーム32とエンべローパロール31とを、その休止位置Cから、表面巻き取り動作がエンべローパロール31によって行われる位置Dに、移動させる。
　支持アーム32は、エンベローパロール31を位置C及び位置Dのいずれかに配置するために、ピストン及び支持アーム32に回動するように取り付けられた伸張するピストンロッドを備えた、フレーム12に回動するように取り付けられた流体圧シリンダなどの他の手段であっても良いことが理解されなければならない。
  さらに、ラック33(第5図)は、支持アーム90及びエンべローパロールを牧戸ドラム10の周縁に沿って360度回動させるための全円周を有する円形のセグメントであっても良く、その利点は後に詳しく説明される。
　第1図に例示されているように、端部にナイフ刃45を備え巻き取り装置を横切るように延在する一対の間隔をおいて配置された円弧形の草刈り鎌に類似のアーム36として構成されたナイフが、新たなコアとエンべローパロールとの間のウエブを切断し、切断されたウエプの前縁が新たなコアと巻き取りドラムとの間のニツプに巻き込まれるようにするために設けられている。ナイフの下側面には、第3図のスポンジ70や、ブラシ(図示されていない)のような、適切な手段が設けられていて、切断されたウエブの前縁がニップに導かれるのを援助しても良い。ナイフによって引き起こされる包み込み動作は、コアでの接着剤を必要とせずに、新たなウエブの巻き取りを効率よく開始するのに十分なものである。刃45には、プラスチックなどのかなり重量のあるウエブの切断を援助するために、電熱式などの刃を加熱する手段が設けられていても良い。アーム36は、ピボット44において各支持アーム32の内側に取り付けられ、かつ、流体圧シリンダ42の動作によって、動かされて、ナイフ刃45を第1図に例示されているその後退位置から、移動させる。流体圧シリンダ42は、支持アーム32から下向きに延出したイア43にピボットピン41において横方向に枢支されている。流体圧シリンダ42のピストン(図示されていない)は、ピストン及びシリンダから伸張するロッド40を有する。各ピストンロッド40は、アーム36から外向きに延出するイア38とピボットビン39によって接続されている。
　第1図に例示されているように、巻き取り装置の動作は、ウエブロール若しくはスプール16(2点破線で描かれている)が、適切な供給源から運ばれて巻き取りドラム10を通ってきたウエブWがコア17に巻取られたもので、スプール16として巻き上げられるものである、として、以下のように説明される。巻き取りスプール16と巻き取りドラム10との間には、アーム21を介して働く流体圧シリンダ24によって、圧力が保たれている。
　第1のアーム及びあご29によって力ム面30に対してロード位置Aに保持された新たなコアに対して、ウエブの種類、コアの寸法、及びウエブの速度に応じて、新たなコアが巻き取りドラム10と接触する前に、ロード位置Aとウエブ移送位置Bの間で、新たなコアをウエブ速度に加速するための手段を設けることが、必要となることがある。力ム面30の形状によって、ロード位置Aとウエブ移送位置Bとの間のどの点で、新たなコアが巻き取りドラム10の周縁部と接触するかが決定される。
　巻き取りスプール16が所望の若しくは最大の寸法に達すると、ウエブの速度と同期した速度の新たなコア17が、第1の移送アーム28によって、ロード位置Aからウエブ移送位置Bへ導かれる。同時に、支持アーム32は、エンベローパロール31を、休止位置Cから、エンベローパロール31が、巻き取りスプール16の周縁部に当接して、スプール16を巻き取りドラム10から遠ざけ、スプール16の表面巻き取りを保ち、及び、新たなコア17をウエブ移送位置Bに導くためのスペースを確保する、位置Dに導く。コア17が位置Bにあり、エンべローパロール31が位置Dにあるときに、巻き取り装置は、移動中のウエブを新たなコア17に移すための位置にある。巻き取りドラム10の周縁部に沿って移動中のウエブは、このとき、巻き取りドラム10と新たなコア17との間のニップを通過し、新たなコア17のほとんど下側部分に巻き付き、ウエブは、エンベローパロール31の周縁部に向かって上向きに運搬され、エンベローパロール31と、ウエブが巻取られているスプール16との間のニップに挟み込まれる。第1図に例示されているように、ナイフ刃及びナイフアームは、その後退位置にある。ナイフアームを駆動するめに使われる流体圧シリンダ内のピストンも、その後退位置にある。シリンダのロッド端部から空気を抜き、同時にシリンダの反対の端部に圧力を加える手段が用いられて、ナイフアームを高速で切断位置(第3図を参照)に移動させ、ナイフ刃がウエブを切断して、切断されたウエブの前縁部を巻き取りドラム10と新たなコア17との間のニツプに導き、瞬時に、新たなコア17へのウエブの巻き取りを開始する。その後、ナイフ及びエンべローパロールは、その休止位置に後退させられる。第2の移送アーム21は巻き上げられたウエブのスプールを解除した後、新たな巻き取り中のスプールに当接し、次に、第1の移送アーム28が巻き取り中のスプールを解除して、ロード位置に戻って、これまで説明された全工程が再び開始されるのを待つ。」（第３欄末２行〜第４欄４２行、異議申立人翻訳参照）が記載されている。
　　
　刊行物３には、「（１）ウエブ巻取ライン方向に延在せしめられて巻取スプールを支持できる巻取支持レールと、巻取支持レールに沿って往復動できる移動べースと、移動ベース上に載架され、巻取支持レ−ル上に供給される巻取スプールと連結される第1巻取駆動部及び第2巻取駆動部と、第１巻取駆動部を巻取支持レールに沿う巻取開始位置に停留する第1停留手段と、第１巻取駆動部を移動ベースにロックする第1ロック手段と、第２巻取駆動部を巻取支持レールに沿う巻取開始位置に停留する第２停留手段と、第２巻取駆動部を移動ベースにロックする第２ロック手段と、移動ベース、及び各巻取駆動部等を制御する制御手段とを有して構成されるウエブの巻取装置であって、制御手段は、
　ａ．第1巻取駆動部を第1停留手段にて巻取開始位置に停留させながら、第１巻取駆動部に連結される巻取スプールを駆動し該巻取スプールにウェブを巻取開始し、ｂ．上記巻取開始後、第 1巻取駆動部を第1ロック手段にて移動ベースにロックし、かつ第１停留手段による巻取開始位置への停留を解除し、第1巻取駆動部にて駆動される巻取スプールまわりのウエブ巻太りに従い移勤べースを移動し、該移動べースの移動とともに該巻取駆動部及び巻取スプールを巻取開始位置より移行させ、ｃ．上記ｂ．を経て第1巻取駆動部により駆動される巻取スプールへの巻終り時に、移動べースの移動調整により該巻取駆動部及び巻取スプールをウエブ継ぎ位置に設定し、ｄ．第２停留手段にて巻取開始位置に停留せしめられている第2巻取駆動部に新規巻取スプールを連結して駆動し、上記ｃ．にて巻終り状態にあるウエブを該新規巻取スプールに自動接続して巻取り開始し、e．上記ｄ．のウエブの自動接続後、上記c．にて巻終り状態にあるウエブをその巻取スプールとともに排出位置に移行させ、ｆ．上記ｅ．の巻終りウエブの移行後、移動べースを移動し、該移動べースに未だロックされている第1巻取駆動部を巻取開始位置へ復帰せしめ、該巻取駆動部を第1停留手段にて巻取開始位置に停留させ、かつ第1ロック手段による移動べースとのロックを解除し、ｇ．上記ｄ．にて巻取開始状態にある巻取スプールを駆動している第2巻取駆動部を第2ロック手段にて移動ベースにロックし、かつ第2停留手段による巻取開始位置への停留を解除し、第2巻取駆動部にて駆動される巻取スプールまわりのウェブ巻太りに従い移動べースを移動し、該移動べースの移動とともに該巻取駆動部及び巻取スプールを巻取開始位置より移行させ、ｈ．上記ｇ．を経て第2巻取駆動部により駆動される巻取スプールへの巻終り時に、移動ベースの移動調整により該巻取駆動部及び巻取スプールをウエブ継ぎ位置に設定し、i．上記ｆ．にて第１停留手段により巻取開始位置に停留せしめられている第１巻取駆動部に新規スプールを連結して駆動し、上記ｈ．にて巻終り状態にあるウエブを該新規巻取スプールに自動接続して巻取開始し、以後、上記ｂ．〜i． を循環的にくり返すウエブの巻取装置。
　（２）　第1または第2の巻取駆動部にて駆動される巻取スプールの巻取ウエブ表面に当接する接触ロールを有し、該巻取スプールを騒動する巻取駆動部が巻取開始位置に停留されている間、接触ロールは該巻取ウエブの巻太りに応じて移動できるように構成される請求項1記載のウエブの巻取装置。」（特許請求の範囲）が記載されている。
３−４．対比・判断　
　平成１２年５月１８日付けの訂正請求書の訂正後の特許請求の範囲の請求項１〜４に記載された、訂正後の特許発明１〜４と、取消理由とを、対比して考察する。なお、訂正前の本件特許の請求項１〜８は削除された。
３−４−１．　取消理由その１との対比
　理由その１の対象となる特許請求の範囲の請求項に係る特許発明と、訂正後の特許発明１〜４とを対比し、整理して考察すると、理由その１に対して、削除された訂正前の請求項を除くと残りの対象となる請求項に係る発明は、訂正後の特許発明では請求項３と４に係る発明である。
　したがって、取消理由その１は、これら削除されなかった請求項３と４に係る発明が刊行物１〜２の発明の記載事項に基づいて容易に発明をすることができたものであるから、特許法第２９条第２項の規定に違反してなされたものであるということになるから、これらについて判断する。
ａ．　訂正後の特許発明３について
　本件の訂正後の特許発明３と刊行物１記載の発明とを対比すると、刊行物１記載の「巻き取りドラムのシャフト19」、「リールアップドラム2」、「リールアップドラム3」、「ローリングレール11」、「回動する圧力ローラアセンブリ4」、「新たな巻き取りドラム3をウェブの速度に同期させる第１のドライブ」は、
　それぞれ、本件の訂正後の特許発明３の「巻き取りドラム22」、「巻き取りドラム22に巻き上げたロール20」、「新しい巻き取りドラム22に巻き上げたロール20」、「レール10」、「搬送部材32」、「センタドライブ44」に相当するから、
　両者は「ウェブを、巻き取りドラム上に巻き上げてロールを形成し、該巻き取りドラムをレール上に配置し、該ロールが巻き上がった時に、新しい巻き取りドラムを搬送部材によって待機位置に搬入し、該待機位置において前記新しい巻き取りドラムをウェブのスピードに加速する巻取機における巻き取り方法」である点で一致し、
　本件の訂正後の特許発明３が、
　i）　「前記ウェブを、前記ロールと巻き取りシリンダとの間に形成されるニップを通して、巻き取りドラムに送り、該巻き取りドラムをセンタドライブにより駆動するとともにレール上に配置する」点、
  ii）　「前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐ」点、の構成を有するのに対して、刊行物１記載の発明がそのような構成を有しない点で相違する。
  上記相違点について検討する。
  刊行物２には、「ウェブを回転駆動される巻き取りシリンダ（巻取ドラム10）によって形成されるニップを通って巻き取りドラム（スプール16）に送り、巻き取りドラムを駆動させてレール上で配置し、該巻き取りドラム上にロールを巻き上げ、該ロールが巻き上がった時に、新しい巻き取りドラム（新たなコア17）を搬送部材（第１の移送アーム28）によって待機位置（ロード位置Ａ）に搬入し、該待機位置において新しい巻き取りドラムをウェブのスピードに加速する（新たなコアをウェブ速度に加速するための手段）ポープ式巻取機。」が記載されているから、刊行物２には上記相違点の「ｉ）」の点は記載されていると認められるが、依然として本件訂正後の特許発明３の構成要件である「前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐ」点の構成が記載されていないし、またその構成を示唆する記載もない。
　そして、この相違点の構成を当業者が容易に想到することができるものとは認めがたい。また本件訂正後の特許発明３は、上記相違点に係る技術的事項によって特許明細書中に記載された格別の作用効果を奏するものと認める。
　したがって、刊行物１〜２に記載された事項に基づいて、当業者が、本件訂正後の特許発明３を発明することができたとすることはできない。
ｂ．　訂正後の特許発明４について
　本件の訂正後の特許発明４と刊行物１記載の発明とを対比すると、刊行物１記載の「巻き取りドラムのシャフト19」、「リールアップドラム2」、「リールアップドラム3」、「ローリングレール11」、「回動する圧力ローラアセンブリ4」、「新たな巻き取りドラム3をウェブの速度に同期させる第１のドライブ」は、　
　それぞれ、本件の訂正後の特許発明４の、「巻き取りドラム22」、「巻き取りドラム22に巻き上げたロール20」、「新しい巻き取りドラム22に巻き上げたロール20」、「レール10」、「搬送部材32」、「センタドライブ44」に相当するから、
　両者は「巻き取りシリンダと巻き取りドラムとを有する巻取機であって、ウェブは前記巻き取りドラムに巻き取られて、その結果ロールが形成される巻取機」である点で一致し、
　本件の訂正後の特許発明４が、
　i）　「ウェブは、前記巻き取りシリンダによって形成されるニップを通って、前記巻き取りドラムに巻き取られて、その結果ロールが形成されるポープ式巻取機」点、
　ii）　「前記ロールが巻き上がった時に、該巻き上がったロールが前記巻き取りシリンダから離れる前に、前記巻き上がったロールに接触するプレスロールを有し、前記巻き上がったロールと前記巻き取りシリンダとのニップ接触が終了した後において、前記巻き上がったロールに空気が入ることを該プレスロールは防ぐ」点、の構成を有するのに対して、刊行物１記載の発明がそのような構成を有しない点で相違する。
　上記相違点について検討する。
  刊行物２には、「ウェブを回転駆動される巻き取りシリンダ（巻取ドラム10）によって形成されるニップを通って巻き取りドラム（スプール16）に送り、巻き取りドラムを駆動させてレール上で配置し、該巻き取りドラム上にロールを巻き上げ、該ロールが巻き上がった時に、新しい巻き取りドラム（新たなコア17）を搬送部材（第１の移送アーム28）によって待機位置（ロード位置Ａ）に搬入し、該待機位置において新しい巻き取りドラムをウェブのスピードに加速する（新たなコアをウェブ速度に加速するための手段）ポープ式巻取機。」が記載されているから、刊行物２には上記相違点の「ｉ）」の点は記載されていると認められるが、依然として本件訂正後の特許発明４の構成要件である「前記ロールが巻き上がった時に、該巻き上がったロールが前記巻き取りシリンダから離れる前に、前記巻き上がったロールに接触するプレスロールを有し、前記巻き上がったロールと前記巻き取りシリンダとのニップ接触が終了した後において、前記巻き上がったロールに空気が入ることを該プレスロールは防ぐ」という構成が記載されていないし、またその構成を示唆する記載もない。そして、この相違点の構成を当業者が容易に想到することができるものとは認めがたい。また本件訂正後の特許発明４は、上記相違点に係る技術的事項によって特許明細書中に記載された格別の作用効果を奏するものと認める。
　したがって、刊行物１〜２に記載された事項に基づいて、当業者が、本件訂正後の特許発明４を容易に発明をすることができたとすることはできない。
３−４−２．　取消理由その２との対比
　理由その２で依然として対象となる特許発明は訂正後の特許発明１〜４であって、これらが甲第３号証にその全ての構成が記載されているものであるから、訂正後の特許発明１〜４は、特許法第２９条の２の規定に違反してなされたものであるということになる。
ａ．訂正後の特許発明１について
　刊行物３に記載された発明には「第１と第２の２組の巻取駆動部３１，４１を交番的に稼働できるようにしたウェブ１の巻取装置１０であって、一方の巻取駆動部３１が巻取工程を終了しつつある巻き終わり時に、他方の巻取駆動部４１が新たな巻取を開始できるように、巻取状態にあるウェブ１を新規巻取スプール２に自動接続できるように構成してなる巻取装置。」の構成が記載されているから、この構成を有する巻取装置である点では一致するが、刊行物３には、
　訂正後の特許発明１の構成要件である「該巻取機においては、ウェブは、前記巻き取りシリンダによって形成されるニップを通って、前記巻き取りドラムに巻き取られて、その結果ロールが形成される巻取機において、該巻取機は、第１センタドライブと、第２センタドライブと、第１支持搬送装置と、第２支持搬送装置とを有し」の構成、及び「前記第１、第２センタドライブのうちの一方によって駆動される新しい巻き取りドラムに前記第１、第２支持搬送装置が交互に連結され、巻き取り中は、該連結された支持搬送装置が前記巻き取りドラムを支持し、前記ロールが巻き上がった時は、前記連結された支持搬送装置が該ロールを交換位置に搬送し、該交換位置において、前記第１、第２センタドライブのうちの他方によって駆動される他の新しい巻き取りドラムに前記ウェブが移されること」の構成を有していない。　
　よって、刊行物３に記載された発明は訂正後の特許発明１とは同一ではない。
ｂ．訂正後の特許発明２について
 　訂正後の特許発明２は、同特許発明１の構成を有しさらにそれを限定的にした発明であるから、上記ａ．で示したのと同様の理由で、刊行物３に記載された発明と同一ではない。
ｃ．訂正後の特許発明３について
　訂正後の特許発明３と刊行物３記載の発明とを対比すると、
  刊行物３に記載された発明には「第１と第２の２組の巻取駆動部３１，４１を交番的に稼働できるようにしたウェブ１の巻取装置１０であって、一方の巻取駆動部３１が巻取工程を終了しつつある巻き終わり時に、他方の巻取駆動部４１が新たな巻取を開始できるように、巻取状態にあるウェブ１を新規巻取スプール２に自動接続できるように構成してなる巻取装置。」の構成が記載されているから、この構成を有する巻取装置である点では一致するが、刊行物３には、
　訂正後の特許発明３の構成要件である「該ロールが巻き上がった時に、新しい巻き取りドラムを搬送部材によって待機位置に搬入し、該待機位置において前記新しい巻き取りドラムをウェブのスピードに加速するポープ式巻取機」、及び「前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐこと」の構成を有していない。
　よって、刊行物３に記載された発明は訂正後の特許発明３とは同一ではない。
ｄ．訂正後の特許発明４について
  訂正後の特許発明４と刊行物３記載の発明とを対比すると、
　刊行物３に記載された発明には「第１と第２の２組の巻取駆動部３１，４１を交番的に稼働できるようにしたウェブ１の巻取装置１０であって、一方の巻取駆動部３１が巻取工程を終了しつつある巻き終わり時に、他方の巻取駆動部４１が新たな巻取を開始できるように、巻取状態にあるウェブ１を新規巻取スプール２に自動接続できるように構成してなる巻取装置。」の構成が記載されているから、この構成を有する巻取装置である点では一致するが、刊行物３には、
　訂正後の特許発明４の構成要件である「ウェブは、前記巻き取りシリンダによって形成されるニップを通って、前記巻き取りドラムに巻き取られて、その結果ロールが形成されるポープ式巻取機」、及び「前記ロールが巻き上がった時に、該巻き上がったロールが前記巻き取りシリンダから離れる前に、前記巻き上がったロールに接触するプレスロールを有し、　前記巻き上がったロールと前記巻き取りシリンダとのニップ接触が終了した後において、前記巻き上がったロールに空気が入ることを該プレスロールは防ぐこと」の構成を有していないから、刊行物３に記載された発明は訂正後の特許発明４とは同一ではない。
　　　（まとめ）
  以上のとおりであるから、本件訂正請求は、特許法第１２０条の４第２項及び第３項で準用する特許法第１２６条第２〜４項の規定に適合するので、当該訂正を認める。
　　
［４］．特許異議申立てについての判断
４−１．本件発明
　本件発明は、平成１２年５月１８日付けで訂正された特許請求の範囲の請求項１〜４に記載されたとおりのものと認める。　　
４−２．特許異議申立の理由の概要
　異議申立人は、証拠として上記の甲第１〜３号証を提示し、
　理由その１
　本件特許の請求項１、４〜７、１１及び１２に係る発明は、甲第１〜２号証に記載された発明に基いて当業者が容易に発明をすることができたものであるから、前記の各請求項に係る発明の特許は、特許法第２９条第２項の規定に違反してなされたものである。
　理由その２
　本件特許の請求項１、２〜８、９、１０、１１及び１２に係る発明は、甲第３号証にその全ての構成が記載されているものであるから、前記の各請求項に係る発明の特許は、特許法第２９条の２の規定に違反してなされたものである。
　以上の各理由によって本件特許は、特許を取り消すべきものである旨を主張している。
４−３．判断
　しかしながら、上記［３］．で詳述したのと同様の理由で、異議申立人の提出した甲第１〜３号証では、訂正後の本件特許発明を取り消すことはできないし、申立人の主張は採用できない。
　　
［５］．むすび
　以上のとおりであるから、特許異議申立ての理由及び証拠によっては、本件訂正後の特許発明に係る特許を取り消すことはできない。
  また、他に本件訂正後の特許発明に係る特許を取り消すべき理由を発見しない。
　よって、結論のとおり決定する。
【異議決定日】
平成１２年６月８日（２０００．６．８）
【訂正の要旨】
（３）訂正事項
　特許請求の範囲の請求項１−８を削除し、特許請求の範囲の請求項９−１２の記載
　「【請求項９】　巻き取りシリンダと、センタドライブによって駆動されるとともにレール上に配置される巻き取りドラムとを有する巻取機であって、該巻取機においては、ウェブは、前記巻き取りシリンダによって形成されるニップを通って、前記巻き取りドラムに巻き取られて、その結果ロールが形成される巻取機において、該巻取機は、第１センタドライブと、第２センタドライブと、第１支持搬送装置と、第２支持搬送装置とを有し、
　前記第１、第２センタドライブのうちの一方によって駆動される新しい巻き取りドラムに前記第１、第２支持搬送装置が交互に連結され、巻き取り中は、該連結された支持搬送装置が前記巻き取りドラムを支持し、前記ロールが巻き上がった時は、前記連結された支持搬送装置が該ロールを交換位置に搬送し、該交換位置において、前記第１、第２センタドライブのうちの他方によって駆動される他の新しい巻き取りドラムに前記ウェブが移されることを特徴とする巻取機。
　【請求項１０】　請求項９に記載される巻取機において、該巻取機は、巻取機の各側に１個づつ、２個のセンタドライブを有することを特徴とする巻取機。
　【請求項１１】　ウェブを、巻き取りドラム上に巻き上げてロールを形成し、前記ウェブを、前記ロールと巻き取りシリンダとの間に形成されるニップを通して、巻き取りドラムに送り、該巻き取りドラムをセンタドライブにより駆動するとともにレール上に配置し、該ロールが巻き上がった時に、新しい巻き取りドラムを搬送部材によって待機位置に搬入し、該待機位置において前記新しい巻き取りドラムをウェブのスピードに加速する巻き取り方法において、該方法は、
　前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐことを特徴とする巻き取り方法。
　【請求項１２】　巻き取りシリンダと巻き取りドラムとを有する巻取機であって、該巻取機においては、ウェブは、前記巻き取りシリンダによって形成されるニップを通って、前記巻き取りドラムに巻き取られて、その結果ロールが形成される巻取機において、該巻取機は、
　前記ロールが巻き上がった時に、該巻き上がったロールが前記巻き取りシリンダから離れる前に、前記巻き上がったロールに接触するプレスロールを有し、
　前記巻き上がったロールと前記巻き取りシリンダとのニップ接触が終了した後において、前記巻き上がったロールに空気が入ることを該プレスロールは防ぐことを特徴とする巻取機。」を
　「【請求項
１
ポープ式
　前記第１、第２センタドライブのうちの一方によって駆動される新しい巻き取りドラムに前記第１、第２支持搬送装置が交互に連結され、巻き取り中は、該連結された支持搬送装置が前記巻き取りドラムを支持し、前記ロールが巻き上がった時は、前記連結された支持搬送装置が該ロールを交換位置に搬送し、該交換位置において、前記第１、第２センタドライブのうちの他方によって駆動される他の新しい巻き取りドラムに前記ウェブが移されることを特徴とする
ポープ式
　【請求項
２
１
ポープ式
ポープ式
　【請求項
３
ポープ式巻取機における
　前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐことを特徴とする巻き取り方法。
　【請求項
４
ポープ式
　前記ロールが巻き上がった時に、該巻き上がったロールが前記巻き取りシリンダから離れる前に、前記巻き上がったロールに接触するプレスロールを有し、
　前記巻き上がったロールと前記巻き取りシリンダとのニップ接触が終了した後において、前記巻き上がったロールに空気が入ることを該プレスロールは防ぐことを特徴とする
ポープ式
」に訂正する。
（４）請求の原因
（ｉ）請求項１−８の削除について
　請求項の削除は請求項の減縮に該当するため、この訂正は、特許法第１２０条の４第２項ただし書第１号に規定する特許請求の範囲の減縮に相当する。
　請求項の削除は、また、願書に最初に添付した明細書または図面に記載した事項の範囲内の訂正であり、実質上、特許請求の範囲を拡張または変更するものではない。さらに、訂正後の特許請求の範囲に記載されている事項により特定される発明は特許出願の際、独立して特許を受けることができるものでなければならないという要件にも適合する。
　したがって、請求項の削除は、特許法第１２０条の４第３項で準用する第１２６条第２項から第４項の規定に適合するものである。
（ｉｉ）請求項９−１２（訂正後の請求項１−４）の訂正について
　（ａ）請求項９−１２（訂正後の請求項１−４）の訂正は、
　特許明細書の特許請求の範囲の請求項９（訂正後の請求項１）に記載された「巻き取りシリンダと、センタドライブによって駆動されるとともにレール上に配置される巻き取りドラムとを有する巻取機であって、」を、より下位概念である「巻き取りシリンダと、センタドライブによって駆動されるとともにレール上に配置される巻き取りドラムとを有する
ポープ式
ポープ式
　特許明細書の特許請求の範囲の請求項１０（訂正後の請求項２）に記載された「請求項９に記載される巻取機において、該巻取機は、巻取機の各側に１個づつ、２個のセンタドライブを有することを特徴とする巻取機。」を、より下位概念である「請求項
１
ポープ式
ポーブ式
　特許明細書の特許請求の範囲の請求項１１（訂正後の請求項３）に記載された「該待機位置において前記新しい巻き取りドラムをウェブのスピードに加速する巻き取り方法において、」を、より下位概念である「該待機位置において前記新しい巻き取りドラムをウェブのスピードに加速する
ポープ式巻取機における
　特許明細書の特許請求の範囲の請求項１２（訂正後の請求項４）に記載された「その結果ロールが形成される巻取機において、該巻取機は、前記ロールが巻き上がった時に、該巻き上がったロールが前記巻き取りシリンダから離れる前に、前記巻き上がったロールに接触するプレスロールを有し、前記巻き上がったロールと前記巻き取りシリンダとのニップ接触が終了した後において、前記巻き上がったロールに空気が入ることを該プレスロールは防ぐことを特徴とする巻取機。」をより下位概念である「その結果ロールが形成される
ポープ式
ポープ式
　（ｂ）当該記載は、特許公報第３頁、段落［０００３］、第１行に記載されているものである。
　したがって請求項９−１２（訂正後の請求項１−４）に係る訂正は、特許法第１２０条の４第２項ただし書第１号に規定する特許請求の範囲の減縮に相当する。
　（ｃ）請求項９−１２（訂正後の請求項１−４）に係る訂正はまた、願書に最初に添付した明細書または図面に記載した事項の範囲内の訂正であり、実質上、特許請求の範囲を拡張または変更するものではない。
　（ｄ）さらに、訂正後の特許請求の範囲に記載されている事項により特定される発明は特許出願の際、独立して特許を受けることができるものである。
　すなわち、訂正後の請求項１，２に係る発明は、平成１２年５月１２日付の取消理由通知で引用された引例１〜３のいずれにも「第１、第２センタドライブのうちの一方によって駆動される新しい巻き取りドラムに第１、第２支持搬送装置が交互に連結され、巻き取り中は、連結された支持搬送装置が巻き取りドラムを支持」する点についての記載がなく、上記発明は引例１〜３のいずれかに記載された発明であるとも、また引例１〜３のいずれかに記載された各発明から容易に発明をすることができたものとも認められない。
　また、訂正後の請求項３，４に係る発明は、平成１２年５月１２日付の取消理由通知で引用された引例１〜３のいずれにも「ロールが巻き上がった時に、巻き上がったロールが巻き取りシリンダから離れる前に、巻き上がったロールに接触するプレスロールを有し、巻き上がったロールと巻き取りシリンダとのニップ接触が終了した後において、巻き上がったロールに空気が入ることをプレスロールは防ぐ」点についての記載がなく、上記発明は引例１〜３のいずれかに記載された発明であるとも、また引例１〜３のいずれかに記載された各発明から容易に発明をすることができたものとも認められない。
　（ｅ）したがって、請求項９−１２（訂正後の請求項１−４）の訂正は、特許法第１２０条の４第３項で準用する第１２６条第２項から第４項の規定に適合するものである。
（５４）【発明の名称】
巻き取り方法および巻取機
（５７）【特許請求の範囲】
　　【請求項
１
ポープ式
　前記第１、第２センタドライブのうちの一方によって駆動される新しい巻き取りドラムに前記第１、第２支持搬送装置が交互に連結され、巻き取り中は、該連結された支持搬送装置が前記巻き取りドラムを支持し、前記ロールが巻き上がった時は、前記連結された支持搬送装置が該ロールを交換位置に搬送し、該交換位置において、前記第１、第２センタドライブのうちの他方によって駆動される他の新しい巻き取りドラムに前記ウェブが移されることを特徴とする
ポープ式
　　【請求項
２
１
ポープ式
ポープ式
　　【請求項
３
ポープ式巻取機における
　前記ロールが巻き上がった時に、該巻き上がったロールが前記巻き取りシリンダから離れる前に、プレスロールを前記巻き上がったロールに接触させて、前記巻き上がったロールと前記巻き取りシリンダとのニップ接触が終了した後において、前記巻き上がったロールに空気が入ることを防ぐことを特徴とする巻き取り方法。
　　【請求項
４
ポープ式
　前記ロールが巻き上がった時に、該巻き上がったロールが前記巻き取りシリンダから離れる前に、前記巻き上がったロールに接触するプレスロールを有し、
　前記巻き上がったロールと前記巻き取りシリンダとのニップ接触が終了した後において、前記巻き上がったロールに空気が入ることを該プレスロールは防ぐことを特徴とする
ポープ式
【発明の詳細な説明】
　　　【０００１】
　　【産業上の利用分野】
　本発明は、巻き取り方法および巻取機に関するものである。
　　　【０００２】
　　【従来の技術】
　公知の巻取機は、移動しないように枠に固定されている巻き取りシリンダ、すなわち第１の回転ロールと、レール等の上に支持されている巻き取りドラム、すなわち第２の回転ロールとを有する。第１の回転ロールと第２の回転ロールはニップを形成している。ウエブは第１の回転ロール上を通ってからニップを通過し、そして、第２の回転ロール上に巻き取られる。
　　　【０００３】
　巻取機、例えばポープ式巻取機においては、巻き取りドラムは、最初は、第１のフォーク上に支持されていて、続いて、第２のフォーク上に移される。巻き取りドラムを第１フォークから第２フォークヘ交換すると、紙匹すなわちウェブの巻き取りが不連続になり、その結果、ロールの底部、すなわち巻取枠に一番近い紙の層（最も内側の紙の層）に損紙が生じる。従って第１のフォークから第２のフォークに巻き取りドラムを移す必要を無くすとともに、特に巻き取り初期段階は標準状態で実行されることが望ましい。
　　　【０００４】
　　【発明が解決しようとする課題】
　本発明は、このような従来技術における巻き取り時の交換上の問題の解決策を提供する。しかも本発明の目的は、ロール構造を改良することである。
　　　【０００５】
　　【課題を解決するための手段】
　本発明は上記のまた以後に発生する目的を達成する観点から、巻き取りの対象であるウェブを、巻き取りシリンダを経て、巻き取りドラムに送り、この巻き取りドラムをセンタドライブにより駆動するとともにレール上に配置し、この巻き取りドラム上にロールを巻き上げ、このロールが巻き上がった時に、新しい巻き取りドラムを搬送部材によって待機位置に搬入し、この待機位置において新しい巻き取りドラムをウェブのスピードに加速する巻き取り方法において、事前に加速されたこの新しい巻き取りドラムをレール上に降ろす前に、ロールをロール搬送装置によって交換位置に搬送し、この交換位置においてはロールは巻き取りシリンダと接触しておらず、この後に、通常の方法によってウェブを新しい巻き取りドラムに移すことにより交換を行い、ロールの回転を減速し、ロール搬送装置をロールから新しい巻き取りドラムに移し、センタドライブを新しい巻き取りドラムに連結することを主な特徴としている。
　　　【０００６】
　　【作用】
　本発明によれば、レール上で巻き上げられるロールがほぼ一杯になった時、新しい巻き取りドラムが例えば補助フォーク等の搬送部材によって交換位置に搬送され、ウエブのスピードに加速される。レールに取りつけられていて、かつ操作側部分と駆動側部分とが同期して移動する巻き取りドラム搬送装置は、センタドライブに連結された巻き取りドラムを交換位置に搬送する。ウエブに必要な張力は、ロールの中心に加えられるトルクによって発生する。新しい事前に加速された巻髪取りドラムはレール上に降ろされ、完成したロールから新しい巻き取りドラムヘのウエブの交換は、バッグ交換、サイドブローイング等の通常の公知の方法によって行なわれる。その後完成したロールは減速され、巻き取りドラム搬送用の橇は新しい巻き取り巻き取りドラムに移され、センタドライブは新しい巻き取りドラムへ移される。
　　　【０００７】
　ロールが巻き取りシリンダの表面から分離されると、ニップ状態は消滅する。そういう場合、ロールと、このロールに入って来るウエブとの間の隙間を伝ってロールに空気が侵入する傾向があり、ロールの品質を低下させることがある。本発明の解決方法によると、この問題は、ロールを移動する前に、別のニップを作ることにより回避可能である。このニップは、ロールに入って来るウエブがロールの表面と出会う地点に設けることが好ましい。この別のニップにより、ロールに空気が入ることを防ぐことができる。
　　　【０００８】
　　【実施例】
　次に添付図面を参照して本発明による巻取機を詳細に説明する、しかし本発明は、これらの図の記載のみに限定されるものではない。
　　　【０００９】
　図１に示す巻取機は、巻き取りシリンダ１５と巻き取りドラム２０とを有し、これらは両方とも回転しており、ニップＮを形成している。巻き取りシリンダ１５は、例えばモータ（図示しない）によって駆動されて、矢印Ｓ１に示される方向に回転している。巻き取りドラム２０はレール１０に乗っている。また、巻き取りドラム２０は、電気モータまたは油圧モータなどのセンタドライブ４４と、巻き取りドラム搬送装置４５とに連結している。巻き取りドラムは、矢印Ｓ２によって示された方向に回転する。図１の巻取機において、ウエブＷ、例えば紙ウエブは、第１の回転ロール、すなわち巻き取りシリンダ１５上に供給されて、ニップＮを通って、第２の回転ロール、すなわち巻き取りドラム２０上に巻き取られる。支持装置４０とシリンダ４１によって、巻き取りドラム２０またはこのドラム上に形成されるロール２０は、巻き取りシリンダと確実に接触している。また、支持装置４０とシリンダ４１によって、巻き取りドラム２０が巻き取り中振動しない。ロール２０が殆ど巻き上がるときまでには、搬送部材３２によって新しい巻き取りドラム２２が待機位置に搬送されている。搬送部材３２は、新しい巻き取りドラム２２の軸受ケーシング２２Ａを保持している。この新しい巻き取りドラムの巻き取り枠のマントル２２Ｂは、搬送部材３２と搬送部材３２との間にある。プレスロール３５はロール２０近くの待機位置に置かれる。プレスロール３５は軸３５Ａを有し、この軸を利用して、プレスロールはレール３５Ｂ上に支持される。各補助フォーク３２のあご（ジョー）のうち１つは移動することができ、補助フォーク３２を開いて新しい巻き取りドラムを放出したり、次の新しい巻き取りドラムを受け取ることができる。
　　　【００１０】
　図２のステージにおいて、レール１０上において形成されたロール２０は殆ど巻き上がっている。そのロール２０が巻き上がると、新しい巻き取りドラム２２は、補助フォーク等の搬送部材３２によって待機位置に搬送され、新しい巻き取りドラム２２はウエブのスピードに加速される。プレスロール３５は、モータ（図示しない）によって既に加速済みであり、また、レール３５Ｂに沿って移動済みである。プレスロール３５は、移動の結果、ロール２０に空気が入ることを防止するための追加のニップを生成するようにロール２０に接触している。プレスロール３５は、ロール２０が巻き取りシリンダ１５から離れる前に接触される。
　　　【００１１】
　図３に示されているように、レール１０に装架されていて、抄紙機の操作側（もしくはメインテナンス側）にある部分と、抄紙機の駆動側にある部分とが同期している、ロール２０の搬送装置４５は、センタドライブ４４に連結されて巻き上がったロール紙２０を交換位置に搬送する。ウエブに必要な張力は、センタドライブ４４によってロールの中心に加えられるトルクＭによって発生する。シリンダ４１をもつ支持装置４０は、ロール２０との係合を解かれて、新しい巻き取りドラム２２を受け取ることができる位置に戻される。この巻き取りドラムは、搬送部材例えば補助フォーク３２によってレール１０上に搬送される。
　　　【００１２】
　図４に示されているように、事前に加速された新しい巻き取りドラム２２は、レール１０上に降ろされ、通常の公知の技術の方法によって、ロール２０から新しい巻き取りドラム２２にウエブが移される。その新しい巻き取りドラム２２はすでに回転シリンダ１５と接触させられていて、矢印Ｓ３で示される方向にウエブのスピードで回転している。支持装置４０とシリンダ４１は、新しい巻き取りドラム２２と接触している。巻き上がったロールは、矢印Ｓ２で示される方向にその交換位置で回転を続け、センタドライブ４４および搬送装置４５と係合を続ける。巻き取りドラム２２が離れないようにするための力であって、シリンダ４１等による力によって、巻き取りドラム２２は押しつけられ、および（または）ロックされる。ロール４７および４８と巻き取りドラム２２の表面との間の摩擦力、または摩擦面等と巻き取りドラム２２の表面との間の摩擦力は、巻き取り中、巻き取りドラム２２の振動を防止する。
　　　【００１３】
　図５に示されているように、巻き上がったロール２０は、センタードライブ４４によって減速される。巻き取りドラム搬送装置４５は新しい巻き取りドラム２２の方に移り、センタドライブ４４は新しい巻き取りドラム２２の方へ移動する。補助フォーク３２、例えば搬送部材は、その初期位置へすでに戻っている。搬送装置４５のアーム４５Ａは、レール１０の上面の高さよりも低い所まで折り曲げられる。この結果、搬送装置を、巻取位置まで戻すことができる。新しい巻き取りドラム上へのウエブの巻き取りは既に始まっており、従って、図５の巻き取りドラムは、図１〜４の巻き取りドラムより少し大きく図示している。搬送装置４５とセンタドライブ４４は、次の交換用に新しい巻きり取りドラム２２の位置に戻る。
　　　【００１４】
　図２乃至図４のステージにおいて、プレスロール３５はロールヘの空気が入ることを防止するために使用される。そのプレスロール３５は、ロール２０の構造に影響を与えることも可能である。プレスロール３５は、ロール２０が巻き取りシリンダ１５から離れる前に、ロールと接触させる。
　　　【００１５】
　図６のように、２個のセンタドライブ４４と５４を、例えば巻取機の各側に１個ずつ使用することが可能であり、その場合巻き取りの最中に、駆動装置を係合させる必要はなくなる。ニップにおいて必要な線圧は、支持装置４０とシリンダ４１とによって与えることが可能であり、支持装置４０とシリンダ４１とは、図４に示すように、ウエブの交換前に、すでに負荷のかかった状態で接触している。巻き上がったロール２０は搬送装置４５によって制御される。
　　　【００１６】
　図７に示されているように、第１センタドライブ４４と係合するロール２０は第１支持搬送装置５０例えば第１巻き取りフォークによって、交換位置へ搬送される。新しい巻き取りドラム２２は第２センタドライブ５４に係合している。巻き取りドラム２２の支持および移動は、巻き始めから巻き終りまで完全に、第２支持搬送装置５２例えば第２巻き取りフォークによって行なわれる。巻き上がったロール２０の支持搬送装置５０は新しい巻き取りドラムに移る。先行する新しい巻き取りドラム２２が巻き上がって、支持搬送装置５２によって交換位置に搬送されてから、センタドライブ４４は、新しい巻き取りドラムと係合する。ニップを形成するために必要な負荷は、支持搬送装置５０と５２によって、加えることが可能である。巻き上がったロール２０は、第１支持搬送装置５０によって制御され、第２支持搬送装置５２は巻き取り中の新しい巻き取りドラム２２の支持と制御を行なう。支持搬送装置５０と５２の各々は、複数の巻き取りフォークを持つのが望ましく、その場合第１支持搬送装置５０において、巻き取りドラムの一方の端にある一方のフォークが一方のレール１０の内側に設置され、一方巻き取りドラムの他方の端にある他方のフォークが他方のレール１０の外側に設置され、第２支持搬送装置５２においては、図７から解るようにフォークは、レール１０の反対側に位置しているのが望ましい。これによって、２組の巻き取りフォークが、互いに妨害することなく、レール１０に沿って往復することができる。
　　　【００１７】
　図７に示されているように、第１支持搬送装置５０および第２支持搬送装置５２は、新しい巻き取りドラム２２と交互に係合し、巻き取り初期から終了まで途中で交替することなく交互に巻き取りドラムの支持搬送を行なう。図７の実施例においては、２個のドライブ４４および５４が使用されている。
　　　【００１８】
　上記のごとく、数例の実施例のみについて本発明は説明されて来た。しかし本発明はこれらの実施例に限定されるものではなく、請求項に記載されている思想の範囲内で各種の変更および修正が可能である。
　　　【００１９】
　　【発明の効果】
　このように本発明によれば、ロールが巻き上がりかかった時点で、新しい巻き取りドラムがウエブのスピードに合わせて事前に加速されることにより、ロールと新しい巻き取りドラムとの交換が円滑に行なわれるので、従来巻き上がりロール底部に発生していた損傷を防止でき、生産性を上げることが可能になった。
【図面の簡単な説明】
　　【図１】
　本発明の巻き取り装置における、新しい巻き取りドラムが待機位置に搬入されるステージの略図である。
　　【図２】
　本発明の巻き取り装置における、新しい巻き取りドラムがウエブのスピードに加速されるステージを示す略図である。
　　【図３】
　本発明の巻き取り装置における、巻き上がったロール紙が交換位置に搬送されるステージの略図である。
　　【図４】
　本発明の巻き取り装置における、新しい巻き取りドラムにウエブを巻き取るために、新しい巻き取りドラムにウエブを巻つけるステージを示す略図である。
　　【図５】
　本発明の巻き取り装置における、巻き上がったロール紙が減速され、搬送装置とセンタドライブが新しい巻き取りドラムに移されるステージを示す略図である。
　　【図６】
　本発明による２個のセンタドライブが使用されている巻き取り装置の実施例を示す略図である。
　　【図７】
　本発明による２個のセンタドライブと２個の支持搬送装置が使用されている巻き取り装置の実施例を示す略図である。
　【符号の説明】
１０　レール
１５　巻き取りシリンダ
２０　巻き取りドラム、ロール
２２　巻き取りドラム
３２　搬送部材
３５　プレスロール
４４　ドライブ
４７　ロール
４８　ロール
５２　フォーク
５４　ドライブ